(57)【特許請求の範囲】
【請求項１】
洞道における内壁と、この内壁に固定される基礎用Ｌ型鋼材等の金物の間に配置される洞道内の金物の腐食防止用具であって、所定の長さを有する薄板状に形成された取り付け基部の長手方向における両側に、複数の溝部から成る漏水導入部を設けていることを特徴とする洞道内の金物の腐食防止用具。
【請求項２】
取り付け基部と漏水導入部を、ゴム素材を用いて形成している請求項１に記載の洞道内の金物の腐食防止用具。
【発明の詳細な説明】
【技術分野】
【０００１】
本発明は、洞道における内壁と、この内壁に固定される基礎用Ｌ型鋼材等の金物の間に配置される洞道内の金物の腐食防止用具に関するものである。
【背景技術】
【０００２】
洞道の内部にケーブルを布設するときには、例えば、洞道内にケーブルの支持金具を配置し、ケーブルをこの支持金具に載置して固定する手法が存在する。
【０００３】
具体的には、洞道内に支持用Ｌ型鋼材を立てた状態に設け、この支持用Ｌ型鋼材にケーブルの支持金具を固定し、ケーブルを載置させるのである。
【０００４】
また、支持用Ｌ型鋼材は、洞道の天井部分の内壁に取り付けた基礎用Ｌ型鋼材にその先端部を固定すると共に、基端部を洞道の床部分に固定して、洞道内に立てた状態に設けられている。
【０００５】
そして、洞道の内部は湿度が高いことから、洞道内に取り付けている基礎用Ｌ型鋼材、支持用Ｌ型鋼材、ケーブルの支持金具等の金物の腐食速度が非常に速くなっている。
【０００６】
そのため、洞道内に取り付ける基礎用Ｌ型鋼材、支持用Ｌ型鋼材、ケーブルの支持金具等の金物には、亜鉛メッキ等の腐食防止措置を施している。
【０００７】
このような腐食防止措置を施した金物は、通常は４０年程度の耐用年数があるものと予想される。
【特許文献１】特になし
【発明の開示】
【発明が解決しようとする課題】
【０００８】
しかし、洞道内に取り付ける基礎用Ｌ型鋼材、支持用Ｌ型鋼材、ケーブルの支持金具等の金物は、洞道の内部に侵入してくる地下水等の漏水に直接的に接する機会が多いことから、腐食防止措置を施したとしても、長期間に渡ってその腐食を防止することは困難である。
【０００９】
具体的には、腐食防止措置を施している金物であっても、地下水等の漏水に直接的に接していることを要因として、耐用年数が２０年以下になってしまうことが多い。
【００１０】
さらに、漏水に常時接して、腐食速度が特に速い金物については、５年という極めて短かい期間で金物の取替えを実施していることもある。
【００１１】
このような洞道内に取り付けている金物の早期の腐食を防止するには、洞道内に地下水等が漏れ出てしまう事態の発生をなるべく回避する必要があるが、コンクリートに生じるひび割れからの漏水や、シールドセグメントジョイントからの漏水を完全に防ぐことは現実的に困難である。
【００１２】
そこで、本発明は如上のような従来存した諸事情に鑑み創出されたもので、洞道内に地下水等が漏れ出てしまった場合であっても、洞道内に取り付けている基礎用Ｌ型鋼材、支持用Ｌ型鋼材、ケーブルの支持金具等の金物が、漏れ出した地下水等に直接触れないようにすることで、金物の早期の腐食を防止し、その耐用年数を向上させることのできる洞道内の金物の腐食防止用具を提供することを目的とする。
【課題を解決するための手段】
【００１３】
本発明は、洞道における内壁と、この内壁に取り付けられる基礎用Ｌ型鋼材等の金物の間に配置される洞道内の金物の腐食防止用具であって、所定の長さを有する薄板状に形成された取り付け基部の長手方向における両側に、複数の溝部から成る漏水導入部を設けていることで、上述した課題を解決した。
【００１４】
また、取り付け基部と漏水導入部を、ゴム素材を用いて形成していることで、同じく上述した課題を解決した。
【発明の効果】
【００１５】
本発明によれば、洞道における内壁と、この内壁に取り付けられる基礎用Ｌ型鋼材等の金物の間に腐食防止用具を配置することで、洞道内に地下水等が漏れ出てしまった場合であっても、洞道内に取り付けている基礎用Ｌ型鋼材、支持用Ｌ型鋼材、ケーブルの支持金具等の金物が、漏れ出した地下水等に直接触れることがない。
【００１６】
そのため、洞道に配置している金物の早期の腐食を防止し、その耐用年数を向上させることができる。
【００１７】
また、この腐食防止用具は、所定の長さを有する薄板状に形成された取り付け基部の長手方向における両側に、複数の溝部から成る漏水導入部を設けていることから、洞道の内壁から地下水等が漏れ出した場合に、この漏水を複数の溝部にそのまま導き入れ、溝部に沿って金物が存在しない所まで地下水等を移動させた後に溝部から排出することができる。
【００１８】
従って、洞道の内壁から地下水等が漏れ出した場合であっても、洞道内に取り付けている基礎用Ｌ型鋼材、支持用Ｌ型鋼材、ケーブルの支持金具等の金物が漏れ出した地下水等に触れ、濡れてしまう事態の発生を回避することができる。
【００１９】
その結果、洞道内に配置している金物の早期の腐食を防止できるのである。
【００２０】
さらに、取り付け基部と漏水導入部をゴム素材を用いて形成し、全体として柔軟性を有することから、湾曲している洞道の内壁であっても、取り付け基部と漏水導入部の全体を内壁に当接させた状態で、簡単に取り付けることができる。
【００２１】
また、洞道の内壁から地下水等が漏れ出した場合であっても、ゴム素材を用いて形成している腐食防止用具により地下水等の滲み出しを阻止し、基礎用Ｌ型鋼材、支持用Ｌ型鋼材、ケーブルの支持金具等の金物が濡れてしまう事態の発生を確実に回避することができる。
【００２２】
加えて、腐食防止用具自体を安価に製作でき、その製作納期も短縮できる。
【００２３】
上述したように、本発明によれば、洞道内に配置している基礎用Ｌ型鋼材、支持用Ｌ型鋼材、ケーブルの支持金具等の金物の早期の腐食を防止し、その耐用年数を向上させることから、洞道内における金物全体のコストダウンを実現できる。
【００２４】
また、洞道内に配置している金物に、亜鉛メッキ等の腐食防止措置を繰り返し施す必要がなく、洞道内における金物のメンテナンス費用も大幅に削減できる。
【発明を実施するための最良の形態】
【００２５】
以下に、本発明を実施するための最良の形態を、図面を参照して説明する。
【００２６】
本発明に係る洞道Ｔ内の金物の腐食防止用具１は、図１に示すように、所定の長さを有する薄板状に形成された取り付け基部２の長手方向における両側に、漏水導入部３，３を設けている。
【００２７】
腐食防止用具１を構成する取り付け基部２は、全体として細長の長方形状であり、複数の固定用の孔４が設けられている。
【００２８】
また、漏水導入部３，３は、洞道Ｔの内壁Ｗから漏れ出した地下水等をそのまま導き入れ、洞道Ｔ内の金物が存在しない所まで地下水等を移動させた後に排出させるもので、それぞれの漏水導入部３，３は、隣接した２本の溝部５，６により形成されている。
【００２９】
この溝部５，６は、側面から見て略Ｖ字状に形成されているが、これに限定されることはなく、側面から見て半円状や矩形状等、地下水等を導き入れて移動できるものであれば、どのような形状であっても差し支えない。また、それぞれの漏水導入部３，３を、３本以上の溝部により形成しても良い。
【００３０】
さらに、腐食防止用具１は、取り付け基部２と漏水導入部３，３を、ゴム素材を用いて形成している。
【００３１】
このように構成された腐食防止用具１は、例えば、図２に示すように、洞道Ｔにおける天井部分の内壁Ｗと、この内壁Ｗに固定される基礎用Ｌ型鋼材ｍ１の間に配置される。
【００３２】
このとき、図３に示すように、洞道Ｔにおける天井部分の内壁Ｗには、複数のボルト７用の孔８が設けられている。また、基礎用Ｌ型鋼材ｍ１は、内壁Ｗに沿って湾曲しており、腐食防止用具１に当接する板片部分に、複数の固定用の孔９が設けられている。
【００３３】
そして、洞道Ｔにおける天井部分の内壁Ｗに、腐食防止用具１を構成する取り付け基部２と漏水導入部３，３の全体を当接させるようにして宛がう。このとき、天井部分の内壁Ｗに設けている複数の孔８に、取り付け基部２の孔４を合致させておく。
【００３４】
この状態で、基礎用Ｌ型鋼材ｍ１の板片部分を取り付け基部２に押し付け、基礎用Ｌ型鋼材ｍ１の孔９と取り付け基部２の孔４を介してボルト７を内壁Ｗの孔８に捩じ込んで、洞道Ｔにおける天井部分の内壁Ｗに腐食防止用具１と基礎用Ｌ型鋼材ｍ１を固定するのである。
【００３５】
尚、基礎用Ｌ型鋼材ｍ１には、図４に示すように、略コ字枠状に形成した接続片１０をボルト７とナットを介して固定する。また、この接続片１０に支持用Ｌ型鋼材ｍ２の先端部をボルト７とナットを介して固定すると共に、基端部を洞道Ｔの床部分Ｂに固定して、図５に示すように、支持用Ｌ型鋼材ｍ２は、洞道Ｔ内において立てた状態に配置される。
【００３６】
さらに、支持用Ｌ型鋼材ｍ２は、短尺なＬ型鋼材ｍ２Ａと長尺なＬ型鋼材ｍ２Ｂにより構成されている。また、洞道Ｔの床部分Ｂは、高床部分Ｂａと低床部分Ｂｂによる、段違い構造に形成されている。
【００３７】
そして、短尺なＬ型鋼材ｍ２Ａは、図５に示すように、先端部を接続片１０に固定すると共に、基端部を洞道Ｔの高床部分Ｂａに固定している。また、長尺なＬ型鋼材ｍ２Ｂは、先端部を接続片１０に固定すると共に、基端部を洞道Ｔの低床部分Ｂｂに固定している。
【００３８】
この短尺なＬ型鋼材ｍ２Ａと長尺なＬ型鋼材ｍ２Ｂのそれぞれには、ケーブルＫを載置する支持金具１１，１２が複数固定されている。
【００３９】
これらの短尺なＬ型鋼材ｍ２Ａと支持金具１１、長尺なＬ型鋼材ｍ２Ｂと支持金具１２は、洞道Ｔの天井部分に固定している腐食防止用具１の下方に位置している。
【００４０】
具体的には、図５に示すように、短尺なＬ型鋼材ｍ２Ａとその支持金具１１の先端部、長尺なＬ型鋼材ｍ２Ｂとその支持金具１２の先端部は、いずれも腐食防止用具１を構成する取り付け基部２の長手方向における内側に配置されている。
【００４１】
また、短尺なＬ型鋼材ｍ２Ａとその支持金具１１、長尺なＬ型鋼材ｍ２Ｂとその支持金具１２は、いずれも腐食防止用具１を構成する取り付け基部２の幅方向における内側に配置されている。
【００４２】
その為、腐食防止用具１を固定している部分の内壁Ｗから地下水等が漏れ出した場合、この漏水がそのまま漏水導入部３，３に導き入れられ、漏水導入部３，３に沿って移動する。
【００４３】
このとき、洞道Ｔの内壁Ｗにおいて、最も高い位置Ｐを境にして左側部分に地下水等が漏れ出した場合、漏水導入部３，３に導き入れられた漏水は、傾斜により漏水導入部３，３に沿って図５における左方向に移動し、短尺なＬ型鋼材ｍ２Ａに固定されている支持金具１１の先端部よりも先に位置している漏水導入部３，３の端部から下方に排出される。
【００４４】
また、洞道Ｔの内壁Ｗにおいて、最も高い位置Ｐを境にして右側部分に地下水等が漏れ出した場合、漏水導入部３，３に導き入れられた漏水は、傾斜により漏水導入部３，３に沿って図５における右方向に移動し、長尺なＬ型鋼材ｍ２Ｂに固定されている支持金具１２の先端部よりも先に位置している漏水導入部３，３の端部から下方に排出される。
【００４５】
このようにして、洞道Ｔ内に配置している基礎用Ｌ型鋼材ｍ１、支持用Ｌ型鋼材ｍ２、ケーブルＫの支持金具１１，１２等の金物が、漏れ出した地下水等に触れ、濡れてしまう事態の発生を回避しているのである。
【００４６】
この他、図６に示すように、洞道Ｔにおける側壁部分に、腐食防止用具１を取り付けても良い。
【００４７】
尚、基礎用Ｌ型鋼材ｍ１を使用した腐食防止用具１の取り付け手法は、図３に示すものと同様である。
【００４８】
具体的には、図６に示すように、基礎用Ｌ型鋼材ｍ１の両端部に、ボルト７とナットを介して接続片１３を固定する。接続片１３は、基礎用Ｌ型鋼材ｍ１に当接して固定する当接板部分１４と、この当接板部分１４の端部を直角に折曲した支持板部分１５により形成されている。
【００４９】
また、接続片１３の支持板部分１５に支持用Ｌ型鋼材ｍ３を、ボルト７とナットを介して固定する。このようにして、支持用Ｌ型鋼材ｍ２は、洞道Ｔ内において立てた状態に配置される。
【００５０】
さらに、支持用Ｌ型鋼材ｍ３には、支持金具１６の基端部を固定している。
【００５１】
そして、腐食防止用具１を固定している部分の内壁Ｗから地下水等が漏れ出した場合、この漏水がそのまま漏水導入部３，３に導き入れられ、漏水導入部３，３に沿って下方に移動し、漏水導入部３，３の最下端部から下方に排出される。
【産業上の利用可能性】
【００５２】
本発明に係る洞道内の金物の腐食防止用具は、洞道の内壁から地下水等が漏れ出した場合に、この漏水を特定の場所に集めて排出するものとして、幅広く利用することができる。
【図面の簡単な説明】
【００５３】
【図１】取り付け基部の長手方向における両側に漏水導入部を備えている腐食防止用具の全体構成を示す斜視図である。
【図２】洞道における天井部分に、基礎用Ｌ型鋼材を使用して腐食防止用具を取り付けた状態を示す斜視図である。
【図３】洞道における天井部分に、基礎用Ｌ型鋼材を使用して腐食防止用具を取り付けている状態を示す分解斜視図である。
【図４】洞道における天井部分に取り付けた基礎用Ｌ型鋼材に、２本の支持用Ｌ型鋼材を固定し、ぞれぞれの支持用Ｌ型鋼材に支持金具を固定している状態を示す斜視図である。
【図５】洞道の天井部分に取り付けた腐食防止用具の下方に、ケーブルの支持金具を固定している支持用Ｌ型鋼材を配置している状態及び洞道の側壁部分に取り付けた腐食防止用具に沿って、ケーブルの支持金具を固定している支持用Ｌ型鋼材を配置している状態を示す側面図である。
【図６】洞道における側壁部分に取り付けた基礎用Ｌ型鋼材に支持用Ｌ型鋼材を固定し、この支持用Ｌ型鋼材にケーブルの支持金具を固定している状態を示す斜視図である。
【符号の説明】
【００５４】
１…腐食防止用具
２…取り付け基部
３…漏水導入部
４…孔
５…溝部
６…溝部
７…ボルト
８…孔
９…孔
１０…接続片
１１…支持金具
１２…支持金具
１３…接続片
１４…当接板部分
１５…支持板部分
１６…支持金具
Ｋ…ケーブル
Ｐ…最も高い位置
Ｔ…洞道
Ｗ…内壁
Ｂ…床部分
Ｂａ…高床部分
Ｂｂ…低床部分
ｍ１…基礎用Ｌ型鋼材
ｍ２…支持用Ｌ型鋼材
ｍ２Ａ…短尺なＬ型鋼材
ｍ２Ｂ…長尺なＬ型鋼材
ｍ３…支持用Ｌ型鋼材
【図１】
0004766278.tif 000002
【図２】
0004766278.tif 000003
【図３】
0004766278.tif 000004
【図４】
0004766278.tif 000005
【図５】
0004766278.tif 000006
【図６】
0004766278.tif 000007